(57)【要約】【課題】  プレーヤの妨げになることなく、ギャラリーだけに試合内容の解等説を行う音響システムを得る。【解決手段】  ゴルフ場で競技中のプレーヤの妨げになることなく、限られた場所だけに可聴域の音波を発生する放射器を備え、ギャラリーだけに試合内容の解説を行う音響システム。【選択図】        図３
2005094235.tif 000002
【特許請求の範囲】
【請求項１】
ゴルフ場で競技中のプレーヤの妨げになることなく、限られた場所だけに可聴域の音波を発生する放射器を備え、ギャラリーだけに向けて音声を拡声する音響システム。
【請求項２】
放射器を複数台設置することにより、必要な範囲内のみに均一な音場を形成することを特徴とする請求項１記載の音響システム。
【発明の詳細な説明】
【技術分野】
【０００１】
この発明は、ゴルフ場等において限られた場所だけに可聴域の音波を発生する音響システムに関するものである。
【背景技術】
【０００２】
従来、ゴルフトーナメントの会場においてギャラリーが試合を観戦する際、ギャラリーは観戦している選手のプレーのみを見ることができ、試合全体の流れを把握するには無音の大型画面およびスコアボード等を見て確認していた。これは、プレーヤに音声が聞こえるとプレーの妨げになる可能性があるためである。
【発明の開示】
【発明が解決しようとする課題】
【０００３】
したがって、ギャラリーは無音の大型画面およびスコアボード等を確認することによって選手の現状の順位等を認識することはできるが、どのようにして順位が変化したかなど、試合の流れを認識することはできないという課題があった。
【０００４】
また、ギャラリーはプレー中の選手を見ても、テレビ・ラジオ等で見ている時のような技術的、歴史的解説を聞くことができず、ゴルフトーナメントの観戦を効果的に行うことができないという課題があった。
【０００５】
この発明は、プレーヤの妨げになることなく、ギャラリーだけに試合内容の解等説を行う音響システムを提供することを目的とする。
【課題を解決するための手段】
【０００６】
この発明は、ゴルフ場で競技中のプレーヤの妨げになることなく、限られた場所だけに可聴域の音波を発生する放射器を備え、ギャラリーだけに向けて音声を拡声するものである。
【発明の効果】
【０００７】
この発明によれば、従来ではプレーヤに聞こえると集中できない等の問題により、解説等の音声を拡声することが出来なかったゴルフトーナメント等の試合中にギャラリに対し解説等の音声を拡声することが可能となる。
【０００８】
また、ギャラリースタンド等の観客が集まる場所のみに均一の音場を形成することが可能となり、ゴルフトーナメント中に音声拡声を可能とするだけでなく、観客に対し特別な環境（有料としても良い）を提供することが可能となる。
【発明を実施するための最良の形態】
【０００９】
実施の形態１．
図１はこの発明の実施の形態１による音響システムのブロック図である。図に示すように、この音響システムは、音源１、変調器２、増幅器３、放射器４を備える。音源１は可聴音信号を生成する。変調器２は超音波帯域に属する搬送波を音声信号によって変調する。増幅器３は変調器２から出力される変調信号を増幅する。放射器４は増幅器３から出力される信号を空気中に放射する。この音響システムは、可聴音を直進性の高い超音波（非可聴音）に変換し、狙った方向に放射するパラメトリックスピーカの原理を応用している。
【００１０】
ここで、パラメトリックスピーカの基本的な原理について説明する。
パラメトリックスピーカは、強力な超音波が空気を伝搬する過程で発生するひずみ成分を使用することによって、可聴帯域の音を得る原理を採用している。図２はパラメトリックスピーカの原理について説明する図である。図２では、二つの周波数成分ｆ１，ｆ２、およびその差成分ｆ２−ｆ２、和成分ｆ２＋ｆ１を示す。パラメトリックスピーカは二つの周波数成分ｆ１，ｆ２とその差成分ｆ２−ｆ２の関係を利用するものであり、その際二つの周波数成ｆ１，ｆ２は人間には聞こえない超音波とし、差成分ｆ２−ｆ２はオーディオ帯域に存在するようにすることにより可聴音が得られる。これが基本原理であるが、超音波の相互作用は、強力な超音波が伝搬過程で歪んでいくという空気の非線形性を利用するものである。
【００１１】
図１の変調器２は、超音波のキャリア信号を音源１から出力されるオーディオ信号によって変調し、増幅器３に供給する。増幅器３は取得した信号を増幅し、放射器４に供給する。放射器４は取得した変調信号を放射する。放射器４から放射される変調信号は、空気の非線形パラメトリック現象により自己復調されて可聴音が得られる。
【００１２】
変調器２は、上述したようなオーディオ信号に対応する二つの超音波成分を作る機能を有する。すなわち、変調器２はキャリア信号成分と側波帯を有する信号を生成し、これらキャリア信号成分と側波帯とで二つの周波数成分を構成する。変調方式としては、振幅変調方式が一般的である。
【００１３】
図３はこの実施の形態１による音響システムの使用例を示す図である。図に示すように、音響システムを、放射器４がグリーン６を観戦するためのギャラリースタンド５の方向に向くように設置する。放射器４は増幅器３から供給される信号をギャラリースタンド５の方向に放射する。変調信号が超音波であることにより空気中で再生された音声信号も強い指向性をもたせることができるので、必要とする人（ギャラリ）のみに音を聞かせ、聞かせたくない人（プレーヤ）には聞かせない音場を形成できる。したがって、このような音響システムを使用することで、プレーヤに聞こえることなく観客のみに試合の解説等を拡声することが可能となる。
【００１４】
図３では音響システムを９個配置している。放射器４から放射される変調信号は、空気中で約２０°の広がりをもって拡声する。図３のように設置することによりギャラリースタンド等の必要な範囲内だけに均一に拡声することが可能となる。
【００１５】
以上に述べたような、超指向性の音響システムでは、超音波を使用しているため反射の影響を受ける可能性がある。図４は変調信号の反射方向について説明する図である。図に示すように、ギャラリースタンド５は通常雛壇形式で構築される。放射器４はギャラリースタンド５の一番下の段に設置される。このように設置された放射器４は、図４に示すように斜め上方向に、ギャラリー７に向けて変調信号を放射する。したがって、反射音は図４の矢印の方向、すなわち斜め上方向に反射するため、プレーヤのいるグリーン上に反射することはない。なお、放射器４の設置角度はギャラリースタンド５の構造に応じて設計することが必要である。
【００１６】
以上のように、この実施の形態１によれば、ゴルフトーナメント等の試合中にギャラリーに対し試合の解説等の音声を拡声することが可能となる効果が得られる。
【００１７】
また、ギャラリースタンド等の観客が集まる場所のみだけに均一の音場を形成することが可能となり、ゴルフトーナメント中に音声拡声を可能とするだけでなく、観客に対し特別な環境を提供することが可能となる効果が得られる。
【００１８】
なお、音響システムは音源１の代わりにアンテナおよび受信機を備え、ゴルフ場の管理センター等から送信される音声情報を受信して上述の変調等の処理を行うようにしてもよい。
【図面の簡単な説明】
【００１９】
【図１】この発明の実施の形態１による音響システムのブロック図である。
【図２】パラメトリックスピーカの原理について説明する図である。
【図３】この発明の実施の形態１による音響システムの使用例を示す図である。
【図４】変調信号の反射方向について説明する図である。
【符号の説明】
【００２０】
１  音源、２  変調器、３  増幅器、４  放射器、５  ギャラリースタンド、６  グリーン、７  ギャラリー。
【図１】
2005094235.tif 000003
【図２】
2005094235.tif 000004
【図３】
2005094235.tif 000005
【図４】
2005094235.tif 000006